(57)【要約】【課題】可視光を発光するストロボを使えない場所での光量不足を解消し、また、被写体となる人物や撮影者に特別な意識をさせることなくカラー撮影を行うことが可能な撮影方法及びカメラを提供する。【解決手段】カメラ１００は、撮影時に赤外ストロボ１０を使用する設定がなされていた場合、赤外ストロボ１０から赤外光を発光し、被写体ｋからの反射光（可視光と赤外光）を撮影レンズ７１を介して、可視感光成層と赤外感光成層を含む写真感光材料６０に入射させて、カラー画像を形成する。【選択図】  図１
2006091255.tif 000002
【特許請求の範囲】
【請求項１】
所定の条件下で赤外光を発光する発光ステップと、
撮影レンズを介して、被写体からの前記赤外光による赤外反射光を含む反射光を、可視光に感光する可視感光性層と赤外光に感光する赤外感光性層とを含む写真感光材料に入射させる撮影制御を行う撮影制御ステップとを有する撮影方法。
【請求項２】
撮影レンズを有し、前記撮影レンズの焦点位置を変えることが可能なカメラであって、
可視光に感光する可視感光性層及び赤外光に感光する赤外感光性層を有する写真感光材料を含む写真感光材料を着脱可能な写真感光材料装着部と、
被写体からの反射光を前記撮影レンズを介して前記写真感光材料装着部に装着されている前記写真感光材料に入射させる撮影制御を行う撮影制御手段と、
前記撮影制御手段の制御によって撮影時に赤外光を発光可能な赤外ストロボとを備え、
前記撮影制御手段は、前記撮影時に前記赤外ストロボを使用する設定がなされている場合、前記撮影時に設定される前記撮影レンズの焦点位置を、可視光が通過するときの前記撮影レンズの像距離と赤外光が通過するときの前記撮影レンズの像距離との差の距離だけ前記被写体側に移動させてから前記撮影制御を行うカメラ。
【請求項３】
撮影レンズ及び絞りを有し、前記撮影レンズの焦点位置及び前記絞りの絞り値が固定であるカメラであって、
前記カメラに着脱可能に装着された可視光に感光する可視感光性層及び赤外光に感光する赤外感光性層を含む写真感光材料と、
被写体からの反射光を前記撮影レンズ及び絞りを介して前記写真感光材料に入射させる撮影制御を行う撮影制御手段と、
前記撮影制御手段の制御によって撮影時に赤外光を発光可能な赤外ストロボとを備え、
前記撮影レンズの焦点位置及び前記絞り値は、前記赤外ストロボが使用される場合と使用されない場合との双方において、被写体距離１ｍから無限遠までが被写界深度内に収まるように設計されているカメラ。
【請求項４】
撮影レンズ及び絞りを有し、前記撮影レンズの焦点位置及び前記絞りの絞り値が固定であるカメラであって、
前記カメラに固定的に装着された可視光に感光する可視感光性層及び赤外光に感光する赤外感光性層を含む写真感光材料と、
被写体からの反射光を前記撮影レンズ及び絞りを介して前記写真感光材料に入射させる撮影制御を行う撮影制御手段と、
前記撮影制御手段の制御によって撮影時に赤外光を発光可能な赤外ストロボとを備え、
前記撮影レンズの焦点位置及び前記絞り値は、前記赤外ストロボが使用される場合と使用されない場合との双方において、被写体距離１ｍから無限遠までが被写界深度内に収まるように設計されているカメラ。
【請求項５】
請求項２〜４のいずれか記載のカメラであって、
前記被写体からの反射光の光路上に挿脱可能な赤外カットフィルタを備え、
前記撮影制御手段は、前記撮影時に前記赤外ストロボを使用しない設定がなされている場合、前記赤外カットフィルタを前記光路上に挿入し、前記撮影時に前記赤外ストロボを使用する設定がなされている場合、前記赤外カットフィルタを前記光路上から退避させる制御を行うカメラ。
【発明の詳細な説明】
【技術分野】
【０００１】
本発明は、赤外光を補助光として用いる撮影方法及びカメラに関する。
【背景技術】
【０００２】
従来のカメラ（感光フィルムを着脱可能なカメラ、感光フィルム一体型カメラ、デジタルカメラなど）は、暗い室内や夜間において、被写体の明るさがシステム感度で決まる適性露光量に達していない場合や、窓際逆光等で、被写体の輝度ダイナミックレンジが撮像素子の露光ラチチュードを超えて広い場合には、補助光としてストロボを用いて、明るさの不足を補い、シーンの中の輝度差を小さくしている。ストロボは主に可視光を発光するが、赤外光が含まれていることもあり、ストロボからの投射光に含まれる赤外光のみを積極的に利用する技術も提案されている（特許文献１参照）。
【０００３】
特許文献１記載のカメラは、可視感光性層ならびに赤外感光性層の双方を有する写真感光材料に、可視光のみを入射させるモードと、赤外光のみを入射させるモードとが切り替え可能であり、一台のカメラと一つのフィルムを使用して、カラー画像とモノクロ画像との両方を得ることができるようになっている。
【０００４】
【特許文献１】特開２０００−１３１７４８号公報
【発明の開示】
【発明が解決しようとする課題】
【０００５】
ストロボ撮影は瞬時に大量の光を投射するため、周囲の人に迷惑をかけるおそれがある。したがって、ストロボ撮影が許容されない場所や状況が存在する。例えば、レストランのような食事を提供する場所ではストロボの使用がはばかられるし、また、美術館や博物館では、ストロボ撮影が禁じられているのが一般的である。このような場合に、ストロボなしで撮影するとシステム感度不足でアンダー露光となったり、長時間露光となるために手ぶれや動体ぶれを起こしてしまったりする。また、被写体が人物の場合、ストロボが光ることで被写体に自分が撮影されていることを強く意識させてしまい、被写体のカメラを意識しない自然な表情を捕らえることができないという不都合や、撮影者もストロボが光ることで周囲の目を意識してしまい、撮影することを躊躇してしまうといった、人の心理面での問題も生じ易い。従来からある赤外ストロボを用いて撮影を行えば、上記のような問題は解決できるが、これではモノクロ画像しか得ることができない。特許文献１記載のカメラは、赤外光を補助光として利用して撮影を行っているが、赤外光を発光する場合には、モノクロ画像しか得ることができず、カラー画像を得ることができない。
【０００６】
本発明は上記事情に鑑みてなされたものであり、可視光を発光するストロボを使えない場所での光量不足を解消し、また、被写体となる人物や撮影者に特別な意識をさせることなくカラー撮影を行うことが可能な撮影方法及びカメラを提供することを目的とする。
【課題を解決するための手段】
【０００７】
本発明の撮影方法は、所定の条件下で赤外光を発光する発光ステップと、撮影レンズを介して、被写体からの前記赤外光による赤外反射光を含む反射光を、可視光に感光する可視感光性層と赤外光に感光する赤外感光性層とを含む写真感光材料に入射させる撮影制御を行う撮影制御ステップとを有する。
【０００８】
この方法により、赤外光を補助光として用い、被写体からの前記赤外光による赤外反射光を含む反射光を、可視光に感光する可視感光性層と赤外光に感光する赤外感光性層とを含む写真感光材料に入射させて撮影を行うため、薄暗く且つ通常のストロボ撮影がはばかられる環境下でも、被写体の人物や撮影者に特別な意識をさせることなく撮影を可能とし、且つ、良好なカラー画像を得ることができる。
【０００９】
本発明のカメラは、撮影レンズを有し、前記撮影レンズの焦点位置を変えることが可能なカメラであって、可視光に感光する可視感光性層及び赤外光に感光する赤外感光性層を有する写真感光材料を含む写真感光材料を着脱可能な写真感光材料装着部と、被写体からの反射光を前記撮影レンズを介して前記写真感光材料装着部に装着されている前記写真感光材料に入射させる撮影制御を行う撮影制御手段と、前記撮影制御手段の制御によって撮影時に赤外光を発光可能な赤外ストロボとを備え、前記撮影制御手段は、前記撮影時に前記赤外ストロボを使用する設定がなされている場合、前記撮影時に設定される前記撮影レンズの焦点位置を、可視光が通過するときの前記撮影レンズの像距離と赤外光が通過するときの前記撮影レンズの像距離との差の距離だけ前記被写体側に移動させてから前記撮影制御を行う。
【００１０】
この構成により、赤外ストロボを用い、被写体からの赤外光による赤外反射光を含む反射光を、可視光に感光する可視感光性層と赤外光に感光する赤外感光性層とを含む写真感光材料に感光させて撮影を行うことが可能なため、薄暗く且つ通常のストロボ撮影がはばかられる環境下でも、被写体の人物や撮影者に特別な意識をさせることなく撮影を可能とし、且つ、良好なカラー画像を得ることができる。また、赤外ストロボが使用される場合には、撮影時に設定される撮影レンズの焦点位置を、可視光が通過するときの前記撮影レンズの像距離と赤外光が通過するときの前記撮影レンズの像距離との差の距離だけ前記被写体側に移動させてから撮影を行うため、赤外用写真感光材料を用いた場合、赤外露光で得られたピントの合ったモノクロ画像と、可視光露光で得られたややピントのずれた画像とを合成したカラー画像を得ることができる。合成後のカラー画像は、ややピントがずれているが、モノクロ画像によって被写体のシャープな輪郭が強調されることから、良好な画像を得ることが可能である。
【００１１】
本発明のカメラは、撮影レンズ及び絞りを有し、前記撮影レンズの焦点位置及び前記絞りの絞り値が固定であるカメラであって、前記カメラに着脱可能に装着された可視光に感光する可視感光性層及び赤外光に感光する赤外感光性層を含む写真感光材料と、被写体からの反射光を前記撮影レンズ及び絞りを介して前記写真感光材料に入射させる撮影制御を行う撮影制御手段と、前記撮影制御手段の制御によって撮影時に赤外光を発光可能な赤外ストロボとを備え、前記撮影レンズの焦点位置及び前記絞り値は、前記赤外ストロボが使用される場合と使用されない場合との双方において、被写体距離１ｍから無限遠までが被写界深度内に収まるように設計されている。
【００１２】
この構成により、赤外ストロボを用い、被写体からの赤外光による赤外反射光を含む反射光を、可視光に感光する可視感光性層と赤外光に感光する赤外感光性層とを含む写真感光材料に感光させて撮影を行うため、薄暗く且つ通常のストロボ撮影がはばかられる環境下でも、被写体の人物や撮影者に特別な意識をさせることなく撮影を可能とし、且つ、良好なカラー画像を得ることができる。また、撮影レンズの焦点位置及び絞り値は、赤外ストロボが使用される場合と使用されない場合の双方において、被写体距離１ｍから無限遠までが被写界深度内に収まるように設計されているため、赤外ストロボ使用時、不使用時のいずれにおいても、ほぼピントの合ったカラー画像を得ることができる。
【００１３】
本発明のカメラは、撮影レンズ及び絞りを有し、前記撮影レンズの焦点位置及び前記絞りの絞り値が固定であるカメラであって、前記カメラに固定的に装着された可視光に感光する可視感光性層及び赤外光に感光する赤外感光性層を含む写真感光材料と、被写体からの反射光を前記撮影レンズ及び絞りを介して前記写真感光材料に入射させる撮影制御を行う撮影制御手段と、前記撮影制御手段の制御によって撮影時に赤外光を発光可能な赤外ストロボとを備え、前記撮影レンズの焦点位置及び前記絞り値は、前記赤外ストロボが使用される場合と使用されない場合との双方において、被写体距離１ｍから無限遠までが被写界深度内に収まるように設計されている。
【００１４】
本発明のカメラは、前記被写体からの反射光の光路上に挿脱可能な赤外カットフィルタを備え、前記撮影制御手段は、前記撮影時に前記赤外ストロボを使用しない設定がなされている場合、前記赤外カットフィルタを前記光路上に挿入し、前記撮影時に前記赤外ストロボを使用する設定がなされている場合、前記赤外カットフィルタを前記光路上から退避させる制御を行う。
【００１５】
この構成により、赤外ストロボを使用しない場合でも、良好なカラー画像を得ることができる。
【発明の効果】
【００１６】
本発明によれば、可視光を発光するストロボを使えない場所での光量不足を解消し、また、被写体となる人物や撮影者に特別な意識をさせることなくカラー撮影を行うことが可能な撮影方法及びカメラを提供することができる。
【発明を実施するための最良の形態】
【００１７】
本発明の実施形態について、図面を参照して説明する。
（第１実施形態）
図１は、本発明の第１実施形態を説明するためのカメラの内部概略構成を示すブロック図である。
図１に示すカメラ１００は、波長域が７００ｎｍ以上の赤外光のみを発光する赤外ストロボ１０と、撮影レンズ７１、絞り７２、赤外光をカットする赤外カットフィルタ７３、及びシャッタ７４を含む光学系２０と、光学系２０の各部を駆動する駆動部３０と、赤外ストロボ１０及び駆動部３０を制御すると共に、カメラ１００全体を統括制御する制御部４０と、レリーズボタンや各種操作キーやボタンなどを含む操作部５０と、写真感光材料を着脱可能な写真感光材料装着部７０とを備える。駆動部３０及び制御部４０は、特許請求の範囲の撮影制御手段に該当する。
【００１８】
図２は、赤外ストロボ１０から発光される光の分光スペクトルを示す図である。図２に示すように、赤外ストロボ１０から発光される光は、波長７００ｎｍ以上の赤外光であり、実質的に可視光を含まない。赤外ストロボ１０は、赤外光と可視光を含む光を発光させるストロボの前方に可視光カットフィルタを設けて、赤外光のみを被写体に向けて発光することが可能な構造のものであっても良い。赤外ストロボ１０は、暗い場所などでの撮影時に補助光源として用いられる。
【００１９】
撮影レンズ７１は被写体からの反射光の光路上をその光路に平行に移動可能である。絞り７２は絞り値が可変である。赤外カットフィルタ７３は、光路上に挿脱可能であり、光路上に挿入された状態と退避させられた状態との２つの状態をとることができる。赤外カットフィルタ７３は、カメラ１００が撮影モードに設定された初期状態では、光路上に挿入されているものとする。
【００２０】
写真感光材料装着部７０には、様々な写真感光材料を装着することができるが、本実施形態では、写真感光材料として、可視光に感光する可視感光性層と赤外光に感光する赤外感光性層とを含む写真感光材料（赤外用写真感光材料）６０が装着されている。
【００２１】
図３は、赤外用写真感光材料の一例の概略断面を示す図である。
図３に示すように、赤外用写真感光材料６０は、支持体６３上に、赤外光に感光する黒色発色赤外線感光性層６２が設けられ、その上に可視光に感光する可視感光性層６１が設けられている。可視感光性層６１は、イエロー発色青感光性層（Ａ）が最も上に塗布され、その下にハロゲン化銀の固有感度をカットするための非感光性のイエローフィルター層（Ｂ）が塗布され、その下にマゼンタ発色緑感光性層（Ｃ）、シアン発色赤感光性層（Ｄ）が塗布され、その下に赤外線のみ透過し、可視光をカットするための非感光性のレッドフィルター層（Ｅ）が塗布された構成となっており、レッドフィルター層（Ｅ）の下に、黒色発色赤外線感光性層６２が塗布されている。なお、赤外用写真感光材料６０としては、例えば特許文献１に記載の写真感光材料などを用いても良い。
【００２２】
図４は、図３の赤外用写真感光材料６０の分光感度（昼光）を示す図である。
図４に示すように、赤外用写真感光材料６０は、Ｒ（赤），Ｇ（緑），Ｂ（青），ＩＲ（赤外）のすべてに感度を有している。
【００２３】
制御部４０は、駆動部３０を制御し、撮影レンズ７１を移動させて焦点位置を自動調節するＡＦ（オートフォーカス）制御を行う。なお、撮影レンズ７１はマニュアルによって移動させて焦点調節できる構成であっても良い。
【００２４】
制御部４０は、駆動部３０を制御してシャッタ７４を開き、被写体からの反射光を赤外用写真感光材料６０に入射させる撮影制御を行う。
【００２５】
制御部４０は、所定の条件下での撮影時に赤外ストロボ１０から赤外光を発光させる制御を行う。所定の条件とは、例えば、ユーザによって赤外ストロボ１０を使用する設定がなされている場合や、撮影シーンの明るさが閾値よりも暗い場合などの条件である。
【００２６】
制御部４０は、撮影時に赤外ストロボ１０を使用する設定がなされている場合、赤外用写真感光材料６０に被写体ｋからの反射光に含まれる可視光と赤外光を入射させるために、駆動部３０に指示を出して赤外カットフィルタ７３を光路上から退避させる制御を行い、撮影時に赤外ストロボ１０を使用しない設定がなされている場合、赤外用写真感光材料６０に被写体ｋからの反射光に含まれる赤外光を入射させないために、赤外カットフィルタ７３を光路上に挿入させる制御を行う。
【００２７】
ここで、被写体からの可視光の反射光を用いて画像を形成した場合と、被写体からの赤外光の反射光（赤外反射光）を用いて画像を形成した場合との画像の特徴について説明する。赤外ストロボ１０を使用しないで、可視光の反射光を用いて形成した画像は、ＲＧＢの色を持ったカラー画像（以下、可視画像という）となる。一方、赤外ストロボ１０を使用して、赤外光の反射光を用いて形成した画像は、色のない明暗情報だけのモノクロ画像（以下、赤外画像という）となる。以下、可視光によって赤外用写真感光材料６０を露光することを可視撮影といい、赤外光によって赤外用写真感光材料６０を露光することを赤外撮影という。
【００２８】
カメラ１００では、赤外用写真感光材料６０を用いることにより、可視画像と赤外画像の双方を合わせた１つのカラー画像を形成することが可能である。ところが、カメラ１００は、暗い場所などでは赤外ストロボ１０を補助光源として用いて撮影を行うため、撮影レンズ７１には可視光の他に多くの赤外光が含まれることになる。赤外光は可視光よりも波長が長いため、撮影レンズ７１に対する屈折率が小さい。したがって、赤外光が通過したときの撮影レンズ７１の像距離は、可視光が通過したときの撮影レンズ７１の像距離よりも長くなる。そこで、撮影レンズ７１の焦点位置（撮影レンズ７１の位置）を、可視光が通過するときの焦点位置及び赤外光が通過するときの焦点位置のどちらに合わせるかが問題となる。
【００２９】
本実施形態では、制御部４０が、撮影時にＡＦ制御やマニュアルで被写体からの可視光の反射光を基にして調節された撮影レンズ７１の焦点位置を、赤外光が撮影レンズ７１を通過するときの焦点位置となるように調節する。こうすることにより、被写体の明暗を示す赤外画像はピントの合ったものとなり、被写体の色を示す可視画像はややピントのぼけた画像となるが、赤外画像と可視画像を合わせた画像では、可視画像のわずかなピントのずれは視覚的に目立たず、違和感のない良好なカラー画像となる。
【００３０】
以下、図１に示すカメラの動作について説明する。
図５は、図１に示すカメラの動作を説明するための動作フローを示す図である。
操作部５０の操作によりＡＦ指示が行われると、制御部４０は赤外カットフィルタ７３を通過した被写体からの可視光の反射光を基にＡＦ制御を行い、撮影レンズ７１の位置を調節する（Ｓ１）。そして、ユーザによりレリーズボタンが押下されて撮影指示がなされると（Ｓ２）、制御部４０は、撮影時に赤外ストロボ１０を使用する（赤外光を発光させる）か否かを判定する。赤外ストロボ１０の使用、非使用は、撮影前にユーザによって設定可能である。
【００３１】
赤外ストロボ１０を使用しない設定がなされていた場合（Ｓ３：ＮＯ）、制御部４０は、駆動部３０を制御して赤外カットフィルタ７３を光路上に挿入させた後、シャッタ７４を開き、被写体ｋからの反射光を赤外用写真感光材料６０に入射させる撮影制御を行う（Ｓ４）。被写体ｋからの反射光には可視光と赤外光が含まれているが、赤外光は光路上に挿入されている赤外カットフィルタ７３によってカットされるため、赤外用写真感光材料６０には可視光のみが到達する。このため、良好な可視画像を得ることができる。
【００３２】
一方、赤外ストロボ１０を使用する設定がなされていた場合（Ｓ３：ＹＥＳ）、制御部４０は、駆動部３０を制御して赤外カットフィルタ７３を光路上から退避させる（Ｓ５）。更に、制御部４０は、駆動部３０を制御し、Ｓ１で調節された撮影レンズ７１の焦点位置を、可視光が通過したときの撮影レンズ７１の像距離と赤外光が通過したときの撮影レンズ７１の像距離との差の距離だけ、被写体ｋ側に移動させる（Ｓ６）。そして、制御部４０は、赤外ストロボ１０より赤外光を被写体ｋに向けて発光させてから、駆動部３０を制御してシャッタ７４を開き、被写体ｋからの反射光を赤外用写真感光材料６０に入射させる撮影制御を行う（Ｓ７）。この撮影制御により赤外用写真感光材料６０には可視光と赤外光が入射されるため、赤外用写真感光材料６０で赤外画像と可視画像とが合成されたカラー画像が形成される。Ｓ７の撮影制御終了後、制御部４０は、光路上から退避させた赤外カットフィルタ７３を光路上に挿入させて元の状態に戻す。
【００３３】
以上のようにカメラ１００によれば、赤外ストロボを補助光源として用いて光量不足を補うことができ、可視光を発光するストロボを使えない場所においても、周囲の人に迷惑をかけることなく撮影を行うことができ、輪郭がシャープなカラー画像を得ることができる。例えば、薄暗く且つ可視光を発光するストロボを用いた撮影がはばかられる環境下でも、輪郭がシャープなカラー画像を得ることができる。なお、赤外光撮影では被写体の緑部分の濃淡が濃くなったり、人の血管部分が強調されたりなどして通常の濃淡画像とはやや異なる傾向がある。しかし、赤外ストロボを使用する環境は、もともとシャープな輪郭を得にくいような悪い環境が多く、そのような差は問題にならないことが多い。また、可視光撮影により得られる可視画像が重ね合わされることから、そのような差異は効果的に緩和され、結果的に、見た目には違和感のない自然なカラー画像を得ることができる。
【００３４】
また、カメラ１００によれば、補助光源として赤外ストロボ１０を用いているため、被写体となる人物にストロボを使っていることを意識させることなく撮影を行うことが可能となり、これにより、人物のカメラを意識しない、より自然な表情の撮影が可能となる。
【００３５】
また、カメラ１００によれば、赤外ストロボ１０を使用しない場合には、赤外カットフィルタ７３を光路上に挿入した状態で撮影を行うため、赤外用写真感光材料６０に赤外光が入射されることがなくなり、良好な可視画像を得ることができる。一方、赤外ストロボ１０を使用する場合には、赤外カットフィルタ７３を光路上から退避させた状態で撮影を行うため、赤外用写真感光材料６０に可視光と赤外光が入射されることになり、可視画像と赤外画像とが合成されたカラー画像を得ることができる。
【００３６】
なお、本実施形態において赤外カットフィルタ７３はなくても構わない。この場合、赤外ストロボ１０を使用しない場合に、赤外用写真感光材料６０に可視光と赤外光が入射されてしまうが、赤外ストロボ１０を使用しない環境下では、赤外カットフィルタ７３がなくても、ある程度許容できる可視画像を得ることは可能である。
【００３７】
また、上記ではカメラ１００に赤外ストロボ１０しか搭載していないが、可視光を発光するストロボを別途設けてあっても良い。また、赤外カットフィルタ７３の位置は図１の位置に限らず、光路上であればどこでも良い。例えば、撮影レンズ７１よりも被写体ｋ側に設けてあっても良い。
【００３８】
（第２実施形態）
本実施形態では、図１に示す構成のカメラにおいて、写真感光材料がカメラ本体に一体化されたカメラについて説明する。このカメラは、写真感光材料（例えばシート状やロール状の未露光フィルム）が予めカメラ本体に組み込まれ、その写真感光材料はユーザによって入れ替えることができず、カメラ自体を使い切るタイプの所謂使い捨てカメラである。
【００３９】
図６は、本発明の第２実施形態を説明するためのカメラの内部概略構成を示すブロック図である。図１と同様の構成には同一符号を付してある。図６に示すカメラ２００の図１の構成との違いは、光学系２０に含まれる撮影レンズ７１の焦点位置と絞り７２の絞り値が固定であることと、赤外用写真感光材料６０がカメラ２００本体に予め固定的に装着されていることと、駆動部３０の駆動対象が赤外カットフィルタ７３及びシャッタ７４であることの３点である。図６に示すカメラ２００は、構成をシンプルにするという観点から、焦点調節を行う機構がない。また、カメラ２００は、赤外用写真感光材料６０を別の写真感光材料に取り替えることもできない
【００４０】
上述したように、撮影レンズ７１が同じ位置にあっても、赤外光が通過したときの撮影レンズ７１の焦点位置は、可視光が通過したときの撮影レンズ７１の焦点位置よりも遠くなる。カメラ２００では、焦点位置の調節ができないため、この焦点位置を赤外ストロボ１０の使用時、不使用時のいずれにおいても最適な値となるように光学系の設計を最適化しておく必要がある。
【００４１】
そこで、本実施形態では、光学系２０における撮影レンズ７１の焦点位置及び絞り７２の絞り値を、赤外ストロボ１０を使用する場合、使用しない場合の双方において、被写体距離１ｍから無限遠までが被写界深度内に収まるように設計してある。例えば、赤外光で露光された近距離の被写体の点像が実質的に許容錯乱円の範囲内になるように、かつ、赤外光で露光された近距離の被写体から可視光にて露光された無限遠の被写体までのいずれの像も、実質的に許容錯乱円の範囲内になるように、撮影レンズ７１の焦点位置及び絞り７２の絞り値を最適設計する。このようにすることで、赤外ストロボ１０を使用した場合、使用しない場合のいずれにおいても、ほぼピントの合ったカラー画像を得ることが可能となる。
【００４２】
以下、図６に示すカメラ２００の動作を説明する。
ユーザによりレリーズボタンが押下されて撮影指示がなされると、制御部４０は、撮影時に赤外ストロボ１０を使用する（赤外光を発光させる）か否かを判定する。赤外ストロボ１０の使用、非使用は、操作部５０でユーザにより設定可能である。赤外ストロボ１０を使用しない設定がなされていた場合、制御部４０は、駆動部３０を制御して赤外カットフィルタ７３を光路上に挿入させた後、シャッタ７４を開き、被写体ｋからの反射光を赤外用写真感光材料６０に入射させて感光させる撮影制御を行う。被写体ｋからの反射光には可視光と赤外光が含まれているが、赤外光は光路上に挿入されている赤外カットフィルタ７３によってカットされるため、赤外用写真感光材料６０には可視光のみが到達する。  このため、良好な可視画像を得ることができる。
【００４３】
一方、赤外ストロボ１０を使用する設定がなされていた場合、制御部４０は、駆動部３０を制御して赤外カットフィルタ７３を光路上から退避させる。更に、制御部４０は、赤外ストロボ１０より赤外光を発光させてから、駆動部３０を制御してシャッタ７４を開き、被写体ｋからの反射光を赤外用写真感光材料６０に入射させる撮影制御を行う。この撮影制御終了後、制御部４０は、光路上から退避させた赤外カットフィルタ７３を光路上に挿入させて元の状態に戻す。この撮影制御により赤外用写真感光材料６０には可視光と赤外光が入射されるため、赤外用写真感光材料６０で赤外画像と可視画像とが合成されたカラー画像が形成される。
【００４４】
以上のようにカメラ２００によれば、第１実施形態で説明したカメラ１００と同様の効果を得ることができる。
【００４５】
また、カメラ２００によれば、撮影レンズ７１の焦点位置及び絞り７２の絞り値が、赤外ストロボ１０を使用した場合、使用しない場合のいずれにおいても被写体にピントが合うように最適化されているため、赤外ストロボ１０を使用した場合、使用しない場合のいずれにおいても、ほぼピントの合ったカラー画像を得ることが可能となる。
【００４６】
また、カメラ構成をシンプルにするという観点から見れば、赤外カットフィルタ７３を省略することは大変好ましい。
【００４７】
また、カメラ２００は、暗い場所や夜間専用のカメラとして用途を限定しても良い。このようにすることで、常に赤外ストロボ１０を使用することになるため、赤外カットフィルタ７３を持たない場合でも、常に良好なカラー画像を得ることが可能である。また、暗い場所や夜間専用のカメラとして用途を限定した場合には、撮影レンズ７１の焦点位置及び絞り７２の絞り値を、赤外ストロボ１０を使用した場合において被写体にピントが合うように最適化しておけば良い。また、この場合には、撮影時に強制的に赤外ストロボ１０より赤外光を発光させるようにしても良い。
【００４８】
尚、第二実施形態では、赤外用写真感光材料６０がカメラ２００本体に予め固定的に装着されている構成としたが、赤外用写真感光材料６０は、第一実施形態と同様にカメラ２００に対して着脱可能であっても良い。
【図面の簡単な説明】
【００４９】
【図１】本発明の第１実施形態を説明するためのカメラの内部概略構成を示すブロック図
【図２】本発明の第１実施形態を説明するためのカメラの赤外ストロボから発光される光の分光スペクトルを示す図
【図３】本発明の第１実施形態を説明するためのカメラに装着される赤外用写真感光材料の概略断面を示す図
【図４】本発明の第１実施形態を説明するためのカメラに装着される赤外用写真感光材料の分光感度特性を示す図
【図５】本発明の第１実施形態を説明するためのカメラの動作フローを示す図
【図６】本発明の第２実施形態を説明するためのカメラの内部概略構成を示すブロック図
【符号の説明】
【００５０】
１０  赤外ストロボ
２０  光学系
３０  駆動部
４０  制御部
５０  操作部
６０  赤外用写真感光材料
７０  写真感光材料装着部
７１  撮影レンズ
７２  絞り
７３  赤外カットフィルタ
７４  シャッタ
【図１】
2006091255.tif 000003
【図２】
2006091255.tif 000004
【図３】
2006091255.tif 000005
【図４】
2006091255.tif 000006
【図５】
2006091255.tif 000007
【図６】
2006091255.tif 000008